(57)【要約】【課題】グロメットを完全にパネルへ設置したときに、大きな衝撃を生じさせるようにすること。【解決手段】グロメットが、１つ以上の構成要素を一緒に固定して留めるように構成される。締結具は、縦軸と少なくとも１つの壁部とを有する本体を備える。本体は、屈曲接合部において両側に本体から延在する２つの腕部を更に備える。腕部の各々は、設置中に締結具においてヘジテーションを生じさせるフィードバック機構を備える。フィードバック機構は、腕部のそれぞれの全幅に沿って延在する弓状外形を更に備える。【選択図】図１
2020079640.tif 000002
【特許請求の範囲】
【請求項１】
グロメットにおいて、
縦軸と、内面を形成する壁部とを有する本体と、
前記縦軸から離反するように、前記本体から延在するカラーと、
前記本体から延在する複数の脚部と、
屈曲接合部において前記本体から延びる複数の腕部であって、該複数の腕部の各々はフィードバック機構を備えるて成る複数の腕部とを具備し、
前記フィードバック機構は、設置中に該グロメットのヘジテーション及びクイックリリースを生じさせる係止点として作用するグロメット。
【請求項２】
前記フィードバック機構は突出部として形成される請求項１に記載のグロメット。
【請求項３】
前記突出部は半円形の形状を備え、前記突出部は、前記複数の腕部の各々において、傾斜した壁部から外向きに延在する請求項２に記載のグロメット。
【請求項４】
前記突出部は、前記複数の腕部の各々の全幅に沿って延在する請求項２に記載のグロメット。
【請求項５】
前記突出部は前記本体の前記壁部によって形成される外周と平行である請求項４に記載のグロメット。
【請求項６】
前記フィードバック機構は、前記複数の腕部の各々の中に延在する切欠部によって形成される請求項１に記載のグロメット。
【請求項７】
前記切欠部は垂直壁部及び水平壁部を備え、前記水平壁部は前記垂直壁部に対して垂直である請求項６に記載のグロメット。
【請求項８】
前記複数の腕部の各々は、前記水平壁部と接触して位置決めされるリップ部を備え、前記リップ部及び前記切欠部は弓状外形を形成する請求項７に記載のグロメット。
【請求項９】
前記フィードバック機構は、設置中に作業者に可聴及び触覚フィードバックを与える請求項１に記載のグロメット。
【請求項１０】
グロメットにおいて、
壁部を含む本体であって、該壁部が該本体を貫通する通路を形成する本体と、
屈曲接合部において前記本体から延在する複数の腕部と、
前記複数の腕部の各々において、傾斜した壁部上に位置決めされるフィードバック機構であって、該フィードバック機構は、設置中に該グロメットのヘジテーション及びクイックリリースを生じさせる、構成要素上の係止点として作用するフィードバック機構とを具備し、
前記本体は、前記複数の腕部の周りに部分的に延在する複数の窓部を備えているグロメット。
【請求項１１】
前記構成要素は、該構成要素を貫通して延在する開口を備え、該開口は内縁部によって形成される請求項１０に記載のグロメット。
【請求項１２】
前記開口の前記内縁部の一部が前記フィードバック機構によって係止される請求項１１に記載のグロメット。
【請求項１３】
前記複数の腕部の各々は、前記屈曲接合部から外向きに延在する傾斜したレッジ部及び傾斜した壁部を備え、該傾斜したレッジ部及び該傾斜した壁部は、その間に肘部を形成する請求項１０に記載のグロメット。
【請求項１４】
前記肘部は、前記本体によって形成される外周と平行である平坦な表面によって形成される請求項１３に記載のグロメット。
【請求項１５】
前記複数の腕部の各々は、該複数の腕部の各々の上面から上方に延在する指部を備え、該指部は、その中に延在する凹部を備える請求項１３に記載のグロメット。
【請求項１６】
前記複数の腕部の各々は、前記肘部が前記フィードバック機構より、前記本体によって形成される長手方向進入路から離反して位置決めされる第１の位置と、前記肘部が前記フィードバック機構と垂直方向に位置合わせされる第２の位置との間で可撓性である請求項１３に記載のグロメット。
【請求項１７】
締結具において、
縦軸を有し、少なくとも１つの壁部を備える本体と、
屈曲接合部において両側に前記本体から延在する２つの腕部であって、該腕部の各々は、設置中に該締結具においてヘジテーションを生じさせるフィードバック機構を備える２つの腕部とを具備し、
前記フィードバック機構は、前記腕部の各々の全幅に沿って延在する弓状外形を備える締結具。
【請求項１８】
前記フィードバック機構は、前記腕部の各々の傾斜した壁部から外向きに延在する突出部である請求項１７に記載の締結具。
【請求項１９】
前記フィードバック機構は、前記腕部の各々の傾斜した壁部の中に延在する切欠部である請求項１７に記載の締結具。
【請求項２０】
前記切欠部は、互いに垂直である２つの壁部を備える請求項１９に記載の締結具。
【発明の詳細な説明】
【技術分野】
【０００１】
本開示は、締結具に関し、より詳細には、車両の製造工程中に一緒に固定される、車両内、又は車両の周りにあるパネル等の、１つ以上の構成要素を一緒に固定するのを補助するグロメットすなわち締結具フィードバック機構に関する。
【０００２】
［関連出願の相互参照］
本出願は、２０１８年１１月５日出願の米国特許仮出願第６２／７５５，８８５号「Fastener Feedback Feature」の優先権を主張し、本明細書と一体をなすものとして該出願を引用する。
【背景技術】
【０００３】
構成要素を一緒に固定するために、締結具が使用される場合がある。グロメットは、通常、リング又はエッジストリップを備える１つのタイプの締結具であり、グロメットを適所に保持するために、一般に、各側において外側に広がっているか、又はカラーを備えており、多くの場合に、金属、プラスチック又はゴムから形成される。場合によっては、グロメットを用いて、穴を開けた材料が裂けたり、摩耗したりするのを防ぐことができるか、穴開けの鋭いエッジを覆うことができるか、その中を貫通して配線されるワイヤ、ケーブル又はラインの絶縁を保護することができるか、又は構成要素を一緒に固定することができる。
【０００４】
自動車との関連において、第１のパネルにグロメットを接着により固定し、第２のパネル内に形成された穴を通してグロメットをスナップ留め可能に固定することによって、グロメット締結具を用いて第１のパネルを第２のパネルに固定接続することができる。数多くの既知のグロメットは、構成要素にグロメットを挿入するときに、一定の強い力と遅い加速とを必要とする。さらに、数多くの従来技術のグロメットは、グロメットが設置された時点を作業者に明示しない。
【０００５】
それゆえ、完全に設置する際に、クリップの急加速及びパネルへ大きな衝撃を生じさせるクイックリリースを有するグロメットが必要とされている。さらに、設置中に作業者に更なる可聴及び触覚フィードバックを与えることが必要とされている。
【発明の概要】
【０００６】
一態様において、グロメットは、縦軸と、壁部とを有する本体を備え、壁部は内面を形成する。グロメットは、縦軸から離反するように本体から延在するカラーと、本体から延在する複数の脚部とを更に備える。また、グロメットは、屈曲接合部において本体から延在する複数の腕部を備え、複数の腕部がそれぞれフィードバック機構を備える。フィードバック機構は、設置中にグロメットのヘジテーション及びクイックリリースを生じさせる係止点として作用する。
【０００７】
関連する実施形態において、フィードバック機構は突出部として形成されることができる。突出部は半円形の形状を備え、複数の腕部のそれぞれにおいて傾斜した壁部から外向きに延在することができる。さらに、突出部は、複数の腕部のそれぞれの全幅に沿って延在することができ、本体の壁部によって形成される外周と平行とすることができる。代替的に、フィードバック機構は、複数の腕部のそれぞれの中に延在する切欠部として形成してもよい。切欠部は垂直壁部及び水平壁部を備えることができる。水平壁部は垂直壁部に対して垂直とすることができる。さらに、複数の腕部の各々は、水平壁部と接触して位置決めされるリップ部を備えることができる。リップ部及び切欠部は弓状外形を形成することができる。さらに、フィードバック機構は、設置中に作業者に可聴及び触覚フィードバックを与えることができる。
【０００８】
別の態様において、グロメットは、壁部を備える本体であって、壁部は本体を貫通する通路によって形成される、本体と、屈曲接合部において本体から延在する複数の腕部とを備える。グロメットは、複数の腕部のそれぞれにおいて傾斜した壁部上に位置決めされるフィードバック機構を更に備える。フィードバック機構は構成要素に関する係止点としての役割を果たし、設置中にグロメットのヘジテーション及びクイックリリースを生じさせる。本体は、複数の腕部の周りに部分的に延在する複数の窓部を更に備える。
【０００９】
いくつかの実施形態において、構成要素は、構成要素を貫通して延在する開口を備えることができる。開口は内縁部によって形成することができ、開口の内縁部の一部はフィードバック機構によって係止することができる。複数の腕部の各々は、屈曲接合部から外向きに延在する傾斜したレッジ部及び傾斜した壁部を備えることができる。傾斜したレッジ部及び傾斜した壁部は、その間に肘部を形成することができる。さらに、肘部は、本体によって形成される外周と平行である平坦な表面によって形成することができる。複数の腕部の各々は、複数の腕部のそれぞれの上面から上方に延在する指部を備えることができる。指部は、この指部の中に延在する凹部を備えることができる。さらに、複数の腕部の各々は、肘部がフィードバック機構より、本体によって形成される長手方向進入路から離反して位置決めされる第１の位置と、肘部がフィードバック機構と垂直方向に位置合わせされる第２の位置との間で可撓性とすることができる。
【００１０】
更なる態様において、本開示は、縦軸を有し、少なくとも１つの壁部を備える本体を有する締結具を提供する。締結具は、屈曲接合部の両側に本体から延在する２つの腕部を備え、各腕部は、設置中に締結具においてヘジテーションを生じさせるフィードバック機構を備える。フィードバック機構は、各腕部の全幅に沿って延在する弓状外形を備える。
【００１１】
関連する実施形態において、フィードバック機構は、腕部のそれぞれの傾斜した壁部から外向きに延在する突出部とすることができる。代替的に、フィードバック機構は、腕部のそれぞれの傾斜した壁部の中に延在する切欠部とすることができる。さらに、切欠部は、互いに垂直である２つの壁部を備えることができる。
【図面の簡単な説明】
【００１２】
【図１】本開示の一実施形態による、グロメットの上面等角図である。
【図２】図１のグロメットの底面等角図である。
【図３】図１のグロメットの側面図である。
【図４】図１のグロメットの正面図である。
【図５】図１のグロメットの平面図である。
【図６】図１のグロメットの底面図である。
【図７】構成要素の中に最初に挿入される、図１のグロメットの上面等角図である。
【図８】図７の線８−８に沿って見た部分拡大断面図である。
【図９】構成要素内に設置された、図１のグロメットの正面図である。
【図１０】グロメットの別の実施形態の上面等角図である。
【図１１】図１０のグロメットの部分拡大正面図である。
【図１２】構成要素の中に最初に挿入される、図１０のグロメットの部分正面断面図である。
【図１３】グロメットの更に別の実施形態の上面等角図である。
【図１４】図１３のグロメットの正面図である。
【図１５】図１３のグロメットの側面図である。
【図１６】図１３のグロメットの底面図である。
【図１７】構成要素の中に最初に挿入される、図１３のグロメットの正面断面図である。
【図１８】図１７の一部の拡大図である。
【図１９】構成要素内に設置された、図１３のグロメットの正面図である。
【図２０】グロメットの更に別の実施形態の底面等角図である。
【図２１】図２０のグロメットの部分拡大正面図である。
【図２２】構成要素の中に最初に挿入される、図２０のグロメットの正面断面図である。
【発明を実施するための形態】
【００１３】
本開示の実施形態を詳細に説明する前に、本開示は、以下の説明に記載されているか又は図面に示されている構成部材の構成及び配置の詳細にその適用が限定されないことを理解されたい。本開示は他の実施形態が可能であり、様々な方法で実施又は実行することが可能である。また、本明細書において使用される表現及び用語は説明目的のためのものであり、限定とみなされるべきではないことを理解されたい。「含む」及び「備える」並びにその変形形の使用は、その前に挙げる部材（items）及びその均等物、並びに追加の部材及びその均等物を包含することを意味する。本開示を通して、「約」及び「ほぼ」という用語は、各用語が前置される数の±５％を意味する。
【００１４】
本開示の実施形態は、特殊化したフィードバック機構を備えるグロメットを提供する。具体的には、フィードバック機構は、グロメットの腕部、すなわち、ボックスプロング（box prong）上に位置決めされ、その真下にあるパネルの部分を捕捉する。それにより、その機構は、設置中にグロメットのヘジテーション及びクイックリリースを生じさせる係止点として作用する。さらに、クイックリリースは、クリップの急加速、及び完全な設置中のパネルへのより大きな衝撃を生じさせる。結果として、フィードバック機構は、グロメットを設置している作業者に更なる可聴及び触覚フィードバックを与える。
【００１５】
図１〜図６は、本開示による締結具すなわちグロメット２０を示す。図１、２を参照すると、グロメット２０の上面斜視図及び正面図がそれぞれ示されている。図１は、本体２２を備えるグロメット２０の上面斜視図を示し、本体２２は概ね円筒形である。グロメット２０は、射出成形プラスチック等の材料の単一部品として一体に成形され、形成される。さらに、グロメット２０は、第１の端部すなわち上端２８にある第１の開口部すなわち上側開口部２６と、第２の端部すなわち下端３２にある第２の開口部すなわち下側開口部３０とによって形成される通路２４を含む。通路２４は、本体２２の壁部３６の内面３４によって部分的に形成され、壁部は概ね円筒形であるか、又はわずかに先細りにされる場合があり、壁部３６は上側開口部２６と下側開口部３０との間に延在し、後に更に詳細に示されるように、いくつかの中断部分を有する。図３を参照すると、上側開口部２６は、下側開口部３６の直径Ｄ２より大きい直径Ｄ１を有する。さらに、本体２２は、通路２４の中心を通って延在する縦軸Ａを有する。
【００１６】
図１、２を再び参照すると、複数の脚部３８が、下側開口部３０に隣接する本体２２から延在する。脚部３８は、複数の長手方向スロット４０によって離間され、それらのスロットが脚部３８を概ね形成する。さらに、複数の腕部４２が本体２２から外向きに延在する。好ましい実施形態において、カラー４４が本体２２の上端２８の周囲にわたって配置され、縦軸から径方向外向きに延在する。複数の細長い開口４６がカラー４４内に配設され、鋼製パネル（図示せず）等の物体へのグロメット２０の取付部を与えることができる。さらに、各開口４６間において、複数の突起部４８がカラー４４の底部から下方に延在する。突起部４８は、構成要素５０をグロメット２０に固定するのを補助することができる（図９を参照）。複数の細長い開口４６及び突起部４８は、いくつかの異なる構成において設けることができ、任意の数の細長い開口４６又は突起部４８を備えることができる。代替的には、グロメット２０は、カラー４４に沿って、開口４６又は突起部４８を含まない場合がある。この実施形態では、縦軸Ａに対して実質的に平行である方向において、カラー４４及び本体２２の交差部分から外向きにフランジ５２が延在する。例えば、フランジ５２は、壁部３６の内面３４まで延在する漏斗状壁部５４で形成することができる。
【００１７】
図２を具体的に参照すると、グロメット２０の本体２２がより明確に示されており、カラー４４と本体２２との間の接続部を形成するフィレット５６が示されている。フィレット５６は、縦軸Ａの周りに径方向に延在し、グロメット２０の本体２２内に開口部を形成する複数の窓部５８によって、直径方向において反対に位置する前側及び後側において中断される。更に詳細に論じられるように、窓部５８は、本体２２の腕部４２の周りに部分的に延在する。本実施形態は窓部５８のうちの２つを含むが、以下に説明されるように、各窓部５８の同様の要素には同じ参照番号が適用される。そのため、本明細書では単一の窓部５８のみが説明され、参照されるが、窓部５８は全く同じであり、一方の窓部に関する説明が他方の窓部の説明にも適用される。
【００１８】
図２を更に参照すると、窓部５８は、カラー４４から本体２２の下端３２に向かって延在し、窓部５８は音叉の形状をなす。図３を参照すると、窓部５８は、概ね長手方向にあり、互いに平行である第１の側方部分及び第２の側方部分６０と、側方部分６０につながり、側方部分に対して直交する中央部分６２と、本体２２の外向きに延在する中間側面６６によって形成される上部６４とを備え、中間側面は、中央部分６２からフィレット５６に向かって概ね平行に延在する。側方部分６０及び中央部分６２は、腕部４２がその中に配置される外形を概ね形成する。２つの腕部４２も全く同じであり、説明するのを容易にするために、腕部４２の一方のみがこれ以降に説明される。さらに、代替の実施形態では、グロメット２０は、本体２２から延在する任意の数の腕部４２を備えることができる。
【００１９】
図２に示されるように、グロメット２０は、本体２２から延在する４つの脚部３８を備えることができる。代替的には、グロメット２０は、図示されるより多くの、又は少ない脚部３８を備える場合がある。スロット４０が脚部３８の間に形成される。各脚部３８は、延長ビーム６８と、延長ビーム６８から延在する、内向きに傾けられた先端部７０とを備えることができる。動作時に、工具又は他の物体が中央通路２４の中に動かされるにつれて、固定用脚部３８が、脚部３８を本体２２に接続する屈曲接合部７２の周りで外向きに枢動するように構成される。スロット４０は、グロメット２０の様々な高さに沿って延在することができ、図示される大きさに制限される必要はない。いくつかの実施形態において、本体２２の高さＨ（図３を参照）が低くされ、スロット４０が同じ長さを維持し、それゆえ、スロット４０は、グロメット２０のより大きい割合に沿って延在する。さらに、グロメット２０を、パネル等の構成要素５０を貫通して延在する開口７４の中に固定するために、固定用脚部３８は、屈曲接合部７２において内向きに枢動することができる（図７を参照）。
【００２０】
図３、４を具体的に参照すると、グロメット２０の側面図及び正面図が示されている。図３を具体的に参照すると、グロメット２０の側面がより詳細に示されている。グロメット２０の上端２８を具体的に参照すると、フランジ５２が立面図において示されており、フランジ５２は、縦軸Ａに向かってわずかに内向きに延在する概ね円錐台状の外形を有する。また、カラー４４も立面図において示され、カラー４４は実際には概ね円筒形であり、縦軸Ａに対して同一直線をなす方向に延在する周縁面７６を有する。カラー４４と本体２２との間の接続部にあるフィレット５６も、より明確に示されており、フィレット５６は全体として丸みを帯びている。フィレット５６は、窓部５８の上部６４によって両側において中断される。本体２２はフィレット５６から下方に延在し、窓部５８の部分６０によって中断される。腕部４２は、本体２２と交差する場所から上方に延在する。脚部３８を形成するスロット４０のうちの１つが示されており、スロット４０は、本体２２の中に延在するスロット４０の部分より幅が広い、下端３２に隣接する口部７８を有する。
【００２１】
図４を参照すると、グロメット２０の前面がより詳細に示されている。フランジ５２、カラー４４、示されるスロット４０は、図３に示される同じ要素と概ね同じ向きに配置される。正面から見られるとき、フィレット５６が窓部５８によって概ね中断され、腕部４２が本体２２から外向きに延在する。以下により詳細に示されるように、腕部４２は可撓性であり、構成要素５０の開口７４を通して引き込まれるときに、グロメット２０の通路２４の中に後退するように形成される（図８を参照）。腕部４２と本体２２との間の交差部分すなわち屈曲接合部８０は概ね可撓性であり、力が加えられると、腕部４２が格納位置まで内向きに後退できるようにし、格納位置では、腕部４２の外面８２が本体２２の外面８４と概ね同一平面をなす。さらに、好ましい実施形態において、腕部４２は、両側において本体２２から延在することができる。
【００２２】
図３、４を再び参照すると、縦軸Ａから離反するように、接合部８０から外向きに延在する腕部４２が示されている。図４のグロメット２０は、格納されない、弛緩状態すなわち第１の位置において示される。各腕部４２は、第１の状態において壁部３６の内面３４と概ね同一平面をなす内面８６を備える（図８を参照）。各腕部４２は上面８８を更に備え、上面は内面８６から外向きに延在し、傾斜したレッジ部９０につながる。さらに、各腕部４２は、腕部４２の上面８８から上方に延在する指部９２を備える。指部９２は、窓部５８の中央部分６２の中に延在することができ、各指部分９２の中に延在する凹部９４を備えることができる。指部９２は、グロメット２０の設置を補助することができる。
【００２３】
図３、４を更に参照すると、傾斜したレッジ部９０は指部９２から離反するように延在し、腕部４２の平坦な表面すなわち肘部９６を含む。肘部９６は傾斜したレッジ部９０に隣接して位置決めされる弧状外形を形成する平坦な表面から構成される。さらに、肘部９６は傾斜した壁部９８において終端し、傾斜した壁部は、屈曲接合部８０において本体２２の外面８４と交差する。傾斜したレッジ部９０、肘部９６及び傾斜した壁部９８は、グロメット２０の円筒形本体２２と同様の形状をなすように弓状に曲げられる。すなわち、傾斜したレッジ部９０、肘部９６及び傾斜した壁部９８の表面は、グロメット２０の本体２２によって形成される外周と平行にすることができる。
【００２４】
図３、４を具体的に参照すると、各腕部４２の傾斜した壁部９８は、傾斜した壁部９８上に位置決めされ、そこから延在するフィードバック機構すなわち突出部１３０を備える。突出部１３０は丸みを帯びており、半円形の断面又は形状を形成する。さらに、突出部１３０は、傾斜した壁部９８から外向きに延在し、突出部１３０は、傾斜した壁部９８の周りに延在し、本体２２の壁部３６によって形成される外周と概ね平行な弓状外形を形成する。さらに、突出部１３０は腕部４２の全幅に沿って延在する。代替の実施形態では、突出部１３０は任意の形状とすることができ、図示されるより多くの、又は少ない材料を備えることができる。さらに、腕部４２の傾斜した壁部９８及び突出部１３０は、弛緩状態において、本体２２の外面８４に対してオフセットすることができる。弛緩状態において、肘部９６は、フィードバック機構すなわち突出部１３０より、本体２２の縦軸Ａから離反して位置決めすることができる。本明細書において更に論じられると更に明らかになるように、突出部１３０は、グロメット２０を構成要素５０に固定する際に作業者を補助する。
【００２５】
図５、６を参照すると、グロメット２０の平面図及び底面図が示されている。図６を具体的に参照すると、腕部４２の突出部１３０及び傾斜した壁部９８の弓状外形を見ることができる。さらに、図５を見ると、本体２２を貫通して延在する通路２４をより明確に見ることができる。
【００２６】
図７を参照すると、構成要素５０の開口７４と位置合わせされ、その中に部分的に挿入されたグロメット２０が示されている。構成要素５０は任意の形状とすることができ、例えば、プラスチックパネル、アルミニウムパネル又は金属パネル等の任意のタイプのパネルを含むことができる。さらに、開口７４は、開口７４の外周を形成する内縁部１５０を備えることができる（図８を参照）。
【００２７】
図７において部分的に挿入される前に、グロメット２０は構成要素５０の開口７４と位置合わせされる。位置合わせされると、グロメット２０は、矢印Ｂの方向において開口７４に押入される。グロメット２０が押入されると、脚部３８が、開口７４の内縁部１５０と位置合わせすることによって、グロメット２０を開口７４に対する中央の位置に案内する。開口７４の内縁部１５０は、脚部３８の延長ビーム６８を越えて摺動することができ、結果として、グロメット２０の本体２２が構成要素５０の開口７４の中を摺動する。
【００２８】
ここで、図７、８を参照すると、構成要素５０と接触しているグロメット２０が示されている。この実施形態において、開口７４の内縁部１５０がグロメットの腕部４２と接触するまで、グロメット２０は構成要素５０の開口７４の中を容易に摺動できるようになっている。図８において見られるように、構成要素５０が腕部４２の突出部１３０の直下に位置決めされ、開口７４の内縁部１５０がフィードバック機構すなわち突出部１３０によって係止される。この位置になると、グロメット２０は、構成要素５０の中に完全に挿入するのに更なる力を必要とする。それゆえ、突出部１３０は、設置プロセスにおいてヘジテーションを生じさせる係止点すなわちフィードバック機構として作用する。このヘジテーションは、突出部１３０を乗り越えるために更に大きい力を加えるように作業者に要求する。
【００２９】
作業者が矢印Ｂの方向においてグロメット２０にかかる力を強めるにつれて、本体２２の腕部４２が、矢印Ｃの方向に内向きに撓み始める。グロメット２０にかかる力を強め続けると、開口７４の内縁部１５０が突出部１３０を越えて摺動し始め、腕部４２が矢印Ｃの方向に更に撓み、すなわち、肘部９６をフィードバック機構すなわち突出部１３０と垂直方向に位置合わせすることができる第２の位置すなわち格納状態が規定される。開口７４の内縁部１５０が突出部１３０を乗り越えるにつれて、結果として突出部１３０を乗り越えるのに必要な力が、グロメット２０においてクイックリリースを生じさせる。それゆえ、突出部１３０を乗り越えるのに必要な力の結果として、開口７４の内縁部１５０は、腕部４２の肘部９６に急速に乗り上げ、そして乗り越える。開口７４の内縁部１５０が腕部４２の肘部９６を乗り越えると、腕部４２が撓んだ状態から静止時の構成に戻り、傾斜したレッジ部９０がグロメット２０を構成要素５０に掛止する。このようにして、開口７４を形成する内縁部１５０が、腕部４２の傾斜したレッジ部９０と本体２２のカラー４４との間に捕捉される（図９を参照）。
【００３０】
グロメット２０の各腕部４２に突出部１３０を設けることによって、グロメット２０にかかる力の蓄積であるヘジテーションがもたらされる。この力の蓄積の結果として、グロメット２０を構成要素５０の開口７４の中に迅速にスナップ留め又はスラップ留め（slap）することができる。さらに、突出部１３０によって力を蓄積することにより、開口７４の内縁部１５０が、腕部４２の傾斜した壁部９８の残りの部分及び肘部９６を迅速に乗り越えられるようになる。別の言い方をすると、腕部４２が完全に撓んだ状態に達するのに、すなわち、構成要素５０の内縁部１５０が腕部４２の肘部９６を越えて進行できるようにするのに必要とされる力は、突出部１３０を乗り越えることによって得ることができる。それゆえ、開口７４の内縁部１５０が突出部１３０を越えて進み続けると、グロメット２０の全体が構成要素５０上に音を立てて突き当たり、構成要素に対してグロメット自身を完全にシールすることができる。結果として、作業者は急速な力の増加を感じることになり、その力は直後に消失することになる。この力の急速な増加及び減少は、設置中に作業者に明確な触覚フィードバックを与える。さらに、グロメット２０が構成要素５０上に音を立てて突き当たる結果として、作業者に対して可聴フィードバックが更に生じる。グロメット２０によって作業者に与えられるこの触覚及び可聴フィードバックの結果として、製造工程をより効率的にすることができる。
【００３１】
図９を参照すると、構成要素５０内に設置されたグロメット２０が示されている。この構成において、構成要素５０は、本体２２の上端２８のカラー４４に隣接して位置決めされる。さらに、カラー４４の突起部４８が構成要素５０と接触することができ、グロメット２０を構成要素５０に更に固定することができる。上記で論じられたように、構成要素５０は、グロメット２０のカラー４４と腕部４２との間に捕捉される。図９において見られるように、グロメット２０は１つの構成要素５０上にのみ押圧されている。代替の実施形態では、複数の構成要素を一緒に留めるために、グロメット２０は複数の構成要素に固定することができる。本明細書において言及されるように、グロメット２０は任意の数の構成要素に対して使用することができ、グロメット２０は、その意図した機能に応じてカスタマイズすることができる。
【００３２】
ここで、図１０、１１を参照すると、締結具すなわちグロメットの代替の実施形態２２０に関して同様の参照番号が使用される。グロメット２２０は、上記で論じられたのと類似の構成を備えることができる。しかしながら、この実施形態では、グロメット２２０の腕部４２が、グロメット２２０の腕部４２の中に延在する切欠部２３０を備えることができる。図１１において見られるように、腕部４２の切欠部２３０は、腕部４２の傾斜した壁部９８の中に延在する。切欠部２３０は縦軸Ａと概ね平行とすることができる垂直壁部２３２（図１２を参照）と、垂直壁部２３２に対して概ね垂直に延在する水平壁部２３４とを備えることができる。さらに、腕部４２の肘部９６の直下にリップ部２３６を位置決めすることができ、リップ部２３６は水平壁部２３４と接触して位置決めすることができる。この実施形態において、リップ部２３６及び切欠部２３０は、概ね弓状の外形を形成することができる。さらに、他の実施形態において、切欠部２３０は、腕部４２と開口７４の内縁部１５０との間でより容易に移行できるようにする傾斜した機構又は表面を備えることができる。
【００３３】
ここで図１２を参照すると、構成要素５０の中に最初に挿入されているグロメット２２０が示されている。図１２に先行して、図１〜図９のグロメット２０に関して上記で論じられたのと同じように、グロメット２２０が構成要素５０の開口７４と最初に位置合わせされる。位置合わせされると、開口７４の内縁部１５０がグロメット２２０の腕部４２と接触するまで、グロメット２２０が、矢印Ｄの方向において開口７４に押入される。グロメット２２０が構成要素５０の開口７４に押入されるにつれて、グロメット２２０の腕部４２が、図８の矢印Ｃの方向と同様の、矢印Ｅの方向に内向きに撓み始める。押入し続けると、図１２において見られるように、開口７４の内縁部１５０を腕部４２の切欠部２３０内に捕捉することができる。この位置において、開口７４の内縁部１５０は、切欠部２３０の垂直壁部２３２及び／又は水平壁部２３４と接触している場合がある。
【００３４】
上記で論じられた突出部１３０と同様に、切欠部２３０は、設置プロセスにおいてヘジテーションを生じさせる係止点すなわちフィードバック機構として作用する。このヘジテーションは、切欠部２３０を乗り越えるために、より大きい力を及ぼすように作業者に要求する。作業者が矢印Ｄの方向においてグロメット２２０にかかる力を強めるにつれて、本体２２の腕部４２が、矢印Ｅの方向において内向きに更に撓み続ける。グロメット２２０にかかる力を強め続けると、開口７４の内縁部１５０が切欠部２３０の水平壁部２３４を越えて摺動し始めることができ、それにより、腕部４２が格納状態を規定することができる。開口７４の内縁部１５０が切欠部２３０の水平壁部２３４を乗り越えるにつれて、結果として切欠部２３０を乗り越えるのに必要な力が、グロメット２２０においてクイックリリースを生じさせる。それにより、開口７４の内縁部１５０が腕部４２のリップ部２３６及び肘部９６に急速に乗り上げ、そして乗り越える。開口７４の内縁部１５０が腕部４２の肘部９６を乗り越えると、腕部４２が撓んだ状態から静止時の構成に戻り、傾斜したレッジ部９０がグロメット２２０を構成要素５０に掛止する。それゆえ、開口７４を形成する内縁部１５０を、腕部４２の傾斜したレッジ部９０と本体２２のカラー４４との間に捕捉することができる。
【００３５】
突出部１３０に関して上記で論じられたのと同様に、切欠部２３０によって、グロメット２２０にかかる力の蓄積であるヘジテーションがもたらされる。この力の蓄積の結果として、グロメット２２０を構成要素５０の開口７４の中に迅速にスナップ留め又はスラップ留めすることができる。さらに、切欠部２３０によって力を蓄積することにより、開口７４の内縁部１５０が、腕部４２のリップ部２３６及び肘部９６を迅速に乗り越えられるようになる。別の言い方をすると、腕部４２が完全に撓んだ状態に達するのに、すなわち、構成要素５０の内縁部１５０が腕部４２の肘部９６を越えて進行できるようにするのに必要とされる力は、切欠部２３０を乗り越えることだけで得ることができる。それゆえ、開口７４の内縁部１５０が切欠部２３０を越えて進み続けると、グロメット２２０の全体が構成要素５０上に音を立てて突き当たり、構成要素に対してグロメット自身を完全にシールすることができる。結果として、作業者は、急速な力の増加を感じることができ、その力は直後に消失する可能性がある。この力の急速な増加及び減少は、設置中に作業者に明確な触覚フィードバックを与える。さらに、グロメット２２０が構成要素５０上に音を立てて突き当たる結果として、作業者に対する可聴フィードバックが生じる。グロメット２２０によって作業者に与えられるこの触覚及び可聴フィードバックの結果として、製造工程をより効率的にすることができる。
【００３６】
ここで、図１３、１４を参照すると、締結具すなわちグロメットの代替の実施形態３２０に関して同様の参照番号が使用される。図１３、１４は、本体３２２を含むことができるグロメット３２０の上面斜視図及び正面図を示し、本体３２２は概ね長方形である。グロメット３２０は、射出成形プラスチック等の材料の単一部品として一体に成形され、形成される。さらに、グロメット３２０は長方形フランジ３２４と、グロメット３２０の上端３２８において延在する肩部３２６とを備えることができ、その間に首部３３２が位置決めされている。フランジ３２４は実質的に平坦な上端３３４を備えることができ、フランジ３２４の全体の周りに延在する側壁３３６を備えることができる。本明細書において言及されるように、側壁３３６は、フランジ３２４のための概ね長方形の形状を形成することができる（図１６を参照）。
【００３７】
図１３、１４を再び参照すると、首部３３２はフランジ３２４から下方に延在し、概ね円筒形の断面を備えることができる。本実施形態において、首部３３２は本体３２２の肩部３２６において終端し、肩部も概ね円板状の形状を形成することができ、円形の断面を備えることができる（図１６を参照）。さらに、肩部３２６は、肩部３２６の全体の周りに延在する側壁３３８を備えることができる。本明細書において言及されるように、グロメット３２０の上部３２８を用いて、更なる構成要素を固定することができる。それゆえ、フランジ３２４及び肩部３２６は、その間にパネル等の構成要素を備えることができる。代替の実施形態では、フランジ３２４及び肩部３２６は、例えば、正方形、長円形又は三角形等の任意の構成又は形状を備えることができる。
【００３８】
図１４、１５を参照すると、グロメット３２０の本体３２２がより明確に示されており、肩部３２６と本体３２２との間の接続部を形成する１組のフィレット３４０が示される。フィレット３４０は本体３２２の上端３４２上に形成され、縦軸Ｆに対して水平に又は垂直に延在する。この実施形態において、グロメット３２０の本体３２２は概ね長方形であり、２つの平坦な表面３４４と、その間にある２つの丸みを帯びた表面３４６とを備える。本体３２２の下端付近３４８において、本体３２２は、下方に延在するとともに概ね円錐台状外形を形成する鼻部３５０を備えることができる。鼻部はグロメット３２０の下端３５１に位置する。さらに、鼻部３５０は、鼻部３５０を貫通して延在し、縦軸Ｆに対して垂直な一対のスロット３５２を備えることができる。代替の実施形態では、鼻部３５０は、鼻部３５０を貫通して延在する、それより多くの、又は少ないスロット３５２を備えることができる。さらに、スロット３５２は任意の形状又は構成を備えることができる。
【００３９】
図１４、１５を更に参照すると、鼻部３５０は、鼻部３５０から下方に延在する複数の隆起部３５４を更に備えることができる。隆起部３５４は、鼻部３５０を貫通して延在するスロット３５２によって形成することができ、平坦な端部３５６を備えることができる。後に更に詳細に論じられるように、隆起部３５４は、構成要素５０の開口７４の大きさに応じて内向きに撓むことができる。更に続けると、グロメット３２０は、本体３２２から離反するように外向きに延在する一対の腕部３５８を備えることができる。代替の実施形態では、グロメット３２０は、鼻部３５０及び本体３２２から延在する、３つ又は４つの腕部３５８等の、任意の数の腕部３５８を備えることができる。腕部３５８は本体３２２の両側に位置決めされ、説明を容易するために、これ以降、腕部３５８のうちの１つのみが説明される。
【００４０】
図１４、１５を具体的に参照すると、グロメット３２０の正面図及び側面図が示されている。図１４を具体的に参照すると、腕部３５８は、腕部３５８が本体３２２に対して内向き及び外向きに枢動できるようにする屈曲接合部３６０を備えることができる。接合部３６０は、グロメット３２０の本体３２２と接続することができ、鼻部３５０の中に部分的に延在することができる。この実施形態において、腕部３５８は、本体３２２に面することができる内面３６２を備えることができる。設置中に、腕部３５８が撓んだ状態にあるときに、腕部３５８の内面３６２の一部が本体３２２の一部と接触することができる。腕部３５８の内面３６２は、腕部３５８の全長に沿って延在することができ、腕部３５８の指部３６４において終端することができる。指部３６４は腕部３５８から或る角度をなして外向きに延在することができ、指部３６４は傾斜したレッジ部３６６に取り付けることができ、傾斜したレッジ部は、腕部３５８のリップ部３６８に向かって下方に傾斜する。リップ部３６８は、傾斜したレッジ部３６６から外向きに延在することができる。いくつかの実施形態において、リップ部３６８は、縦軸Ｆから最も離反している、グロメット３２０の部分とすることができる（図１４を参照）。さらに、腕部３５８は、鼻部３５０に向かって下方に延在する傾斜した壁部３７０を備えることができる。一実施形態において、腕部３５８は、傾斜した壁部３７０から延在する突出部１３０を備えることができる。上記で論じられたのと同様に、傾斜した壁部３７０及び突出部１３０は、概ね丸みを帯びた、又は弓状の表面を備えることができ、図１５から見られると、突出部１３０は概ね凸状の構成を形成することができる。
【００４１】
図１６を参照すると、グロメット３２０の底部がより詳細に示されている。図１６に示されるように、傾斜した壁部３７０及び突出部１３０の弓状形状を示すことができる。さらに、鼻部３５０から延在する隆起部３５４の平坦な端部３５６を示すことができる。図１４、１６を具体的に参照すると、グロメット３２０の腕部３５８は、概ね矢じりタイプの形状を形成し、グロメット３２０の腕部３５８は、約３０度をなして外側に延在することができる。しかしながら、代替の実施形態では、腕部３５８は１０度〜７０度の任意の範囲において延在することができる。
【００４２】
図１７を参照すると、構成要素５０の開口７４と位置合わせされ、その中に部分的に挿入されたグロメット３２０の断面図が示されている。図１７において部分的に挿入される前に、グロメット３２０は構成要素５０の開口７４と位置合わせされる。位置合わせされると、グロメット３２０は、矢印Ｇの方向において開口７４に押入される。グロメット３２０を押入し続けると、腕部３５８の鼻部３５０及び傾斜した壁部３７０が、開口７４の内縁部１５０と位置合わせすることによって、グロメット３２０を開口７４に対する中央の位置に案内する。開口７４の内縁部１５０は、本体３２２の鼻部３５０を過ぎて、腕部３５８の傾斜した壁部３７０を上方に摺動することができる。
【００４３】
ここで、図１７、１８を参照すると、構成要素５０と接触しているグロメット３２０が示されている。図１８において見られるように、構成要素５０が腕部３５８の突出部１３０の直下に位置決めされる。この位置になると、グロメット３２０は、構成要素５０の中に完全に挿入するのに更なる力を必要とする。それゆえ、上記で同様に論述されたように、腕部３５８の突出部１３０は、設置プロセスにおいてヘジテーションを生じさせる係止点すなわちフィードバック機構として作用する。このヘジテーションは、突出部１３０を乗り越えるために更に大きい力を加えるように作業者に要求する。
【００４４】
作業者が矢印Ｇの方向においてグロメット３２０にかかる力を強めるにつれて、腕部３５８が、矢印Ｈの方向に内向きに撓み始める。グロメット３２０にかかる力を強め続けると、開口７４の内縁部１５０が突出部１３０を越えて摺動し始め、腕部３５８が矢印Ｈの方向に更に撓む。開口７４の内縁部１５０が突出部１３０を乗り越えるにつれて、結果として突出部１３０を乗り越えるのに必要な力が、グロメット３２０においてクイックリリースを生じさせる。突出部１３０を乗り越えるのに必要な力の結果として、開口７４の内縁部１５０が傾斜した壁部３７０に急速に乗り上げることができ、結果として、腕部３５８が矢印Ｈの方向に更に撓む。
【００４５】
さらに、内縁部１５０は、その後、腕部３５８のリップ部３６８を乗り越えることになる。開口７４の内縁部１５０が腕部３５８のリップ部３６８を乗り越えるにつれて、腕部３５８が、撓んだ状態からその元の静止時の構成にわずかに戻り始めることができる。リップ部３６８を越えると、開口７４の内縁部１５０は、傾斜したレッジ部３６６に沿って進み続け、腕部３５８の指部３６４を越える。開口７４の内縁部１５０が腕部３５８の指部３６４を乗り越えるにつれて、腕部３５８が撓んだ状態から静止時の構成に戻ることができ、指部３６４及び傾斜したレッジ部３６６が、グロメット３２０を構成要素５０に掛止することができる。それにより、開口７４を形成する内縁部１５０が腕部３５８の指部３６４とグロメット３２０の肩部３２６との間に捕捉される（図１９を参照）。
【００４６】
上記で論じられたように、グロメット３２０の各腕部３５８に突出部１３０を設けることによって、前出の実施形態と同様に、グロメット３２０にかかる力の蓄積であるヘジテーションがもたらされる。この力の蓄積の結果として、グロメット３２０を構成要素５０の開口７４の中に迅速にスナップ留め又はスラップ留めすることができる。さらに、突出部１３０による力の蓄積によって、開口７４の内縁部１５０が、腕部３５８の傾斜した壁部３７０の残りの部分、すなわちリップ部３６８、傾斜したレッジ部３６６及び指部３６４を急速に乗り越えることができるようになる。別の言い方をすると、腕部３５８が完全に撓んだ状態に達するのに、すなわち、構成要素５０の内縁部１５０が腕部３５８のリップ部３６８を越えて進行できるようにするのに必要とされる力は、突出部１３０を乗り越えることだけで得ることができる。それゆえ、開口７４の内縁部１５０が突出部１３０を越えて進み続けると、グロメット３２０の全体が構成要素５０上に音を立てて突き当たり、グロメットと構成要素との間でグロメット自身を完全にシールすることができる。結果として、作業者は急速な力の増加を感じることができ、その力は直後に消失する場合がある。この力の急速な増加及び減少は、設置中に作業者に明確な触覚フィードバックを与える。さらに、グロメット３２０が構成要素５０上に音を立てて突き当たる結果として、作業者に対して可聴フィードバックが更に生じる。グロメット３２０によって作業者に与えられるこの触覚及び可聴フィードバックの結果として、製造工程をより効率的にすることができる。
【００４７】
図１９を参照すると、構成要素５０内に設置されたグロメット３２０が示されている。この構成において、構成要素５０は、グロメット３２０の肩部３２６の下面に当接して位置決めされる。上記で論じられたように、構成要素５０は、グロメット３２０の肩部３２６と腕部３５８との間に捕捉される。図１９において見られるように、グロメット３２０は１つの構成要素５０上にのみ押圧されている。代替の実施形態では、グロメット３２０は、２つ以上の構成要素を一緒に留めるために、複数の構成要素に固定することができる。本明細書において言及されるように、グロメット３２０は任意の数の構成要素とともに使用することができ、グロメット３２０は、実行する必要がある作業に応じてカスタマイズすることができる。上記で論じられたように、グロメット３２０は、グロメット３２０を構成要素５０に固定する前に、フランジ３２４と肩部３２６との間に固定される構成要素を備えることもできる。
【００４８】
ここで、図２０を参照すると、締結具すなわちグロメットの代替の実施形態４２０に関して同様の参照番号が使用される。グロメット４２０は、上記で論じられたのと類似の構成を備えることができる。しかしながら、この実施形態では、グロメット４２０の腕部３５８が、グロメット４２０の腕部３５８の中に延在する切欠部２３０を備えることができる。図２１において見られるように、腕部３５８の切欠部２３０は、腕部３５８の傾斜した壁部３７０の中に延在する。切欠部２３０は縦軸Ｆと概ね平行とすることができる垂直壁部２３２（図２２を参照）と、垂直壁部２３２に対して概ね垂直に延在する水平壁部２３４とを備えることができる。さらに、垂直壁部２３２は、腕部３５８の傾斜した壁部３７０と同様に弓形とすることができる。代替の実施形態では、切欠部２３０は、腕部３５８と開口７４の内縁部１５０との間でより容易に移行できるようにする傾斜した機構又は表面を備えることができる。
【００４９】
ここで図２２を参照すると、構成要素５０の中に最初に挿入されているグロメット４２０の断面図が示されている。図２２に先行して、図１３〜図１９のグロメット３２０に関して上記で論じられたのと同じように、グロメット４２０が構成要素５０の開口７４と最初に位置合わせされる。位置合わせされると、開口７４の内縁部１５０がグロメット４２０の腕部３５８と接触するまで、グロメット４２０が、矢印Ｉの方向において開口７４に押入される。グロメット４２０が構成要素５０の開口７４に継続的に押入されるにつれて、グロメット４２０の腕部３５８が、矢印Ｊの方向に内向きに撓み始める。更に押入すると、開口７４の内縁部１５０を腕部３５８の切欠部２３０内に捕捉することができる。この位置において、開口７４の内縁部１５０は、切欠部２３０の垂直壁部２３２及び／又は水平壁部２３４と接触している場合がある。上記で論じられた切欠部２３０と同様に、切欠部２３０は、設置プロセスにおいてヘジテーションを生じさせる係止点すなわちフィードバック機構として作用する。このヘジテーションは、切欠部２３０を乗り越えるために、より大きい力を及ぼすように作業者に要求する。
【００５０】
作業者が矢印Ｉの方向においてグロメット４２０にかかる力を強めるにつれて、本体３２２の腕部３５８が、矢印Ｊの方向において内向きに更に撓み続ける。グロメット４２０にかかる力を強め続けると、開口７４の内縁部１５０が切欠部２３０の水平壁部２３４を越えて摺動し始めることができ、それにより、腕部３５８が格納状態を規定することができる。開口７４の内縁部１５０が切欠部２３０の水平壁部２３４を乗り越えるにつれて、結果として切欠部２３０を乗り越えるのに必要な力が、グロメット４２０においてクイックリリースを生じさせる。それにより、開口７４の内縁部１５０は傾斜した壁部３７０に急速に乗り上げ、そして乗り越え、腕部３５８のリップ部３６８、傾斜したレッジ部３６６及び指部３６４を完全に乗り越える。開口７４の内縁部１５０が腕部３５８の指部３６４を乗り越えるにつれて、腕部３５８が撓んだ状態から静止時の構成に戻り、指部３６４が、グロメット４２０を構成要素５０に掛止する。それにより、開口７４を形成する内縁部１５０が、腕部３５８の指部３６４とグロメット４２０の肩部３２６との間に捕捉される。
【００５１】
切欠部２３０に関して上記で論じられたのと同様に、切欠部２３０によって、グロメット４２０にかかる力の蓄積であるヘジテーションがもたらされる。この力の蓄積の結果として、グロメット４２０を構成要素５０の開口７４の中に迅速にスナップ留め又はスラップ留めすることができる。さらに、切欠部２３０によって力を蓄積することにより、開口７４の内縁部１５０が、腕部３５８の傾斜した壁部３７０、リップ部３６８、傾斜したレッジ部３６６及び指部３６４を迅速に乗り越えられるようになる。別の言い方をすると、腕部３５８が完全に撓んだ状態に達するのに、すなわち、構成要素５０の内縁部１５０が腕部３５８のリップ部３６８を越えて進行できるようにするのに必要とされる力は、切欠部２３０を乗り越えることだけで得ることができる。それゆえ、開口７４の内縁部１５０が切欠部２３０を越えて進み続けると、グロメット４２０の全体が構成要素５０上に音を立てて突き当たり、グロメットと構成要素との間でグロメット自身を完全にシールすることができる。結果として、作業者は、急速な力の増加を感じることができ、その力は直後に消失することになる。この力の急速な増加及び減少は、設置中に作業者に明確な触覚フィードバックを与える。さらに、グロメット４２０が構成要素５０上に音を立てて突き当たる結果として、作業者に対する可聴フィードバックが生じる。グロメット４２０によって作業者に与えられるこの触覚及び可聴フィードバックの結果として、製造工程をより効率的にすることができる。
【００５２】
本明細書において説明されたグロメットフィードバック機構１３０、２３０は、特定の締結具すなわちグロメット２０、２２０、３２０、４２０上の突出部１３０又は切欠部２３０の使用を参照するが、フィードバック機構１３０、２３０は、作業者に付加的なフィードバックを与えるために、任意の低挿入型（low insertion style）のクリップ又は締結具に追加することができる。例えば、突出部１３０又は切欠部２３０は、ボックスプロング、Ｗベース又はハートフレックス（heart flex）構成に追加することができる。さらに、本明細書において説明されたグロメットフィードバック機構１３０、２３０は、グロメット２０、２２０、３２０、４２０の腕部４２、３５８内に形成される突出部１３０又は切欠部２３０の使用を参照するが、代替の構造物を用いて、係止点として作用することができる。例えば、フィードバック機構１３０、２３０は、長方形の突出部、三角形の突出部、円形の切欠部、三角形の切欠部、フランジ等を備えることができる。さらに、グロメット２０、２２０、３２０、４２０の単一の腕部４２、３５８上で複数のフィードバック機構１３０、２３０を使用することができる。例えば、各腕部４２、３５８は、全体にわたって異なる位置にある２つ以上の切欠部２３０又は突出部１３０を備えることができる。
【００５３】
本開示の実施形態を説明するために、例えば上部、底部、下側、中間、横、水平、垂直、前方等の種々の空間及び方向に関する用語を用いる場合があるが、そのような用語は図面に示される向きに関して用いられるにすぎないことが理解される。それらの向きは、上側部分が下側部分であり、逆もまた同様であり、水平が垂直になるといったように、反転させるか、回転させるか、又は別様に変更することができる。
【００５４】
上記の変形及び変更は本開示の範囲内にある。本明細書に開示及び規定されている本実施形態は、言及されているか、又は本文及び／又は図面から明らかである個々の特徴の２つ以上の全ての代替的な組合せに及ぶことが理解される。これらの様々な組合せの全ては、本開示の種々の代替的な態様を構成する。本明細書に記載の実施形態は、本開示を実施するためのわかっている最良の形態を説明しており、当業者が本開示を利用することを可能にする。特許請求の範囲は、従来技術が許容する範囲まで代替的な実施形態を含むものと解釈すべきである。
【００５５】
本発明が特定の実施形態及び例に関連して上記で説明されてきたが、本発明が必ずしもそれには限定されないこと、並びに数多くの他の実施形態、例及び使用法と、それらの実施形態、例及び使用法からの変更及び逸脱とが、添付の特許請求の範囲によって包含されることを意図していることは当業者には理解されよう。本発明の種々の特徴及び利点が、添付の特許請求の範囲に記載される。
【符号の説明】
【００５６】
２０    グロメット
２２    本体
２４    通路
２６    上側開口部
２８    上端
３０    下側開口部
３２    下端
３４    内面
３６    壁部
３８    脚部
４０    スロット
４２    腕部
４４    カラー
４６    開口
４８    突起部
５０    構成要素
５２    フランジ
５４    漏斗状壁部
５６    フィレット
５８    窓部
６０    第２の側方部分
６２    中央部分
６４    上部
６６    中間側面
６８    延長ビーム
７０    先端部
７２    屈曲接合部
７４    開口
７６    周縁面
７８    口部
８０    屈曲接合部
８２    外面
８４    外面
８６    内面
８８    上面
９０    レッジ部
９２    指部
９４    凹部
９６    肘部
９８    壁部
１３０    突出部
１５０    内縁部
２２０    グロメット
２３０    切欠部
２３２    垂直壁部
２３４    水平壁部
２３６    リップ部
３２０    グロメット
３２２    本体
３２４    長方形フランジ
３２４    フランジ
３２６    肩部
３２８    上端
３３２    首部
３３４    上端
３３６    側壁
３３８    側壁
３４０    フィレット
３４２    上端
３４４    表面
３４６    表面
３４８    下端付近
３５０    鼻部
３５１    下端
３５２    スロット
３５４    隆起部
３５６    端部
３５８    腕部
３６０    屈曲接合部
３６２    内面
３６４    指部
３６６    レッジ部
３６８    リップ部
３７０    壁部
４２０    グロメット
【図１】
2020079640.tif 000003
【図２】
2020079640.tif 000004
【図３】
2020079640.tif 000005
【図４】
2020079640.tif 000006
【図５】
2020079640.tif 000007
【図６】
2020079640.tif 000008
【図７】
2020079640.tif 000009
【図８】
2020079640.tif 000010
【図９】
2020079640.tif 000011
【図１０】
2020079640.tif 000012
【図１１】
2020079640.tif 000013
【図１２】
2020079640.tif 000014
【図１３】
2020079640.tif 000015
【図１４】
2020079640.tif 000016
【図１５】
2020079640.tif 000017
【図１６】
2020079640.tif 000018
【図１７】
2020079640.tif 000019
【図１８】
2020079640.tif 000020
【図１９】
2020079640.tif 000021
【図２０】
2020079640.tif 000022
【図２１】
2020079640.tif 000023
【図２２】
2020079640.tif 000024
【外国語明細書】
2020079640000001.pdf